(57)【特許請求の範囲】
【請求項１】
所定の画像再生時に同時に使用される複数枚の画像を取得する画像取得手段と、
前記複数枚の画像に基づいて前記複数枚の画像と同数の画像ファイルを作成する画像ファイル作成手段と、
前記画像ファイル作成手段によって作成された複数の画像ファイルを記録媒体に記録する記録手段と、を備え、
前記画像ファイル作成手段は、
前記複数の画像ファイルのうちのいずれか１つの画像ファイルが欠落しても該画像ファイルを復活させるための複数の関連画像情報を、前記複数枚の画像に基づいて生成する関連画像情報生成手段を有し、
前記複数の画像ファイルのうちの任意の１つの画像ファイルを作成するときに、前記複数枚の画像のうちの任意の１つの画像と、前記関連画像情報生成手段によって生成された関連画像情報であって、前記任意の１つの画像以外の画像を復活させるための関連画像情報とが記録された画像ファイルを作成する、
ことを特徴とする画像記録装置。
【請求項２】
前記画像ファイル作成手段は、前記関連画像情報生成手段によって生成された複数の関連画像情報が、前記複数の画像ファイルに重複しないように各画像ファイルに分散して記録された画像ファイルを作成することを特徴とする請求項１に記載の画像記録装置。
【請求項３】
前記画像ファイル作成手段は、
前記複数枚の画像の関係を特定するための付属情報を生成する付属情報生成手段を更に有し、
前記複数の画像ファイルのうちの任意の１つの画像ファイルを作成するときに、前記複数枚の画像のうちの任意の１つの画像と、前記関連画像情報生成手段によって生成された関連画像情報であって、前記任意の１つの画像以外の画像を復活させるための関連画像情報と、前記付属情報生成手段によって生成された前記任意の１つの画像と前記関連画像情報に対応する前記任意の１つの画像以外の画像との関係と特定するための付属情報とが記録された画像ファイルを作成する、
ことを特徴とする請求項１又は２に記載の画像記録装置。
【請求項４】
前記複数枚の画像は、立体画像の再生時に使用される２以上の視点から撮影された画像であることを特徴とする請求項１から３のいずれかに記載の画像記録装置。
【請求項５】
前記複数枚の画像は、パノラマ画像の再生時に繋ぎ合わされる２以上の画像であることを特徴とする請求項１から３のいずれかに記載の画像記録装置。
【請求項６】
前記関連画像情報生成手段によって生成される関連画像情報は、前記複数枚の画像間の差分を示す差分画像であることを特徴とする請求項４に記載の画像記録装置。
【請求項７】
前記関連画像情報生成手段によって生成される関連画像情報は、前記画像取得手段によって取得された複数枚の画像と同じ画像であることを特徴とする請求項１から６のいずれかに記載の画像記録装置。
【請求項８】
前記関連画像情報の修復が必要かどうかを判断する判断手段と、
前記複数枚の画像に基づいて、前記判断手段により修復が必要と判断された関連画像情報を修復する修復手段と、
を備えたことを特徴とする請求項１から７のいずれかに記載の画像記録装置。
【請求項９】
請求項１から８のいずれかに記載の画像記録装置により記録媒体に記録された画像ファイルを編集する画像編集装置であって、
編集対象である画像を任意の１つの画像とする画像ファイルの任意の１つの画像を編集する第１の編集手段と、
前記編集対象である画像に基づいて作成された関連画像情報に対して、前記第１の編集手段により行われた編集と同じ編集を行う第２の編集手段と、
を備えたことを特徴とする画像編集装置。
【請求項１０】
（ａ）所定の画像再生時に同時に使用される複数枚の画像を取得するステップと、
（ｂ）前記複数枚の画像のうちの任意の１つの画像を選択するステップと、
（ｃ）前記選択された任意の１つの画像以外の画像を復活させるための関連画像情報を作成するステップと、
（ｄ）前記選択された任意の１枚の画像と、前記作成された関連画像情報とが記録された画像ファイルを作成するステップと、
を含み、
前記複数枚の画像に基づいて前記複数枚の画像と同数の画像ファイルを作成するように、かつ前記複数の画像ファイルのうちのいずれか１つの画像ファイルが欠落しても該画像ファイルが復活可能なように、前記ステップ（ｂ）〜（ｄ）を繰り返して複数の画像ファイルを作成し、該複数の画像ファイルを記録媒体に記録することを特徴とする画像記録方法。
【発明の詳細な説明】
【技術分野】
【０００１】
本発明は画像記録装置、画像編集装置及び画像記録方法に係り、特に複数の画像データを用いてはじめて画像表示が可能な画像データの記録、編集を行う画像記録装置、画像編集装置及び画像記録方法に関する。
【背景技術】
【０００２】
多視点画像などの複数の画像を撮影し、記録する方法として以下の技術が開示されている。
【０００３】
特許文献１には、複眼カメラで撮影された各視点の画像を、ファイルの検索やファイル管理が容易となるファイル名を付けて、それぞれ個別のファイルとして記録する技術が開示されている。
【０００４】
特許文献２には、第１の画像データ領域の後に第１の画像データとフォーマット形式の異なる第２の画像データ領域を付加することで、第１の画像データと第２の画像データとを１個のファイルに記録する技術が開示されている。
【０００５】
特許文献３には、複眼カメラで撮影された画像のうち１枚の画像を基準とし、その基準となる画像のデータと、基準となる画像とその他の画像との差分データとを記録する技術が開示されている。
【特許文献１】特開２００５―２２９２９１号公報
【特許文献２】特開２００５―２５２７５４号公報
【特許文献３】特開２００６―１８０３６６号公報
【発明の開示】
【発明が解決しようとする課題】
【０００６】
しかしながら、特許文献２に記載された技術では、全ての画像が１つのファイルに記録されているため、一部の画像のみを編集等する場合においても、全ての画像をメモリに展開しなくてはならず、より大きなメモリが必要となるという問題点があった。
【０００７】
特許文献１に記載された技術においては、各視点の画像が別個の画像ファイルとなっているが、ファイル操作により一部の視点の画像が削除、紛失などされたり、各視点の画像が離散したりして、多視点画像の使用目的、例えば立体視鑑賞やパノラマ画像作成が果たせなくなるという問題点があった。
【０００８】
また、特許文献３に記載された技術においては、全ての画像が１つのファイルに記録することも、各視点毎に別個の画像ファイルとして記録することも可能であるが、各画像ファイルの関連付けを行うことができないため、特許文献１に記載された技術と同様に、ファイル操作により一部の視点の画像が削除、紛失などされたり、各視点の画像が離散したりして、多視点画像の使用目的、例えば立体視鑑賞やパノラマ画像作成が果たせなくなるという問題点があった。
【０００９】
本発明はこのような事情に鑑みてなされたもので、複数枚の画像の一部が削除、紛失、離散などにより使用できなくなった場合においても、使用できなくなった画像を復元等することにより画像表示ができなくなるという不具合を防止することができる画像記録装置、画像編集装置及び画像記録方法を提供することを目的とする。
【課題を解決するための手段】
【００１０】
請求項１に記載の画像記録装置は、所定の画像再生時に同時に使用される複数枚の画像を取得する画像取得手段と、前記複数枚の画像に基づいて前記複数枚の画像と同数の画像ファイルを作成する画像ファイル作成手段と、前記画像ファイル作成手段によって作成された複数の画像ファイルを記録媒体に記録する記録手段と、を備え、前記画像ファイル作成手段は、前記複数の画像ファイルのうちのいずれか１つの画像ファイルが欠落しても該画像ファイルを復活させるための複数の関連画像情報を、前記複数枚の画像に基づいて生成する関連画像情報生成手段を有し、前記複数の画像ファイルのうちの任意の１つの画像ファイルを作成するときに、前記複数の画像のうちの任意の１つの画像と、前記関連情報生成手段によって生成された関連画像情報であって、前記任意の１つの画像以外の画像を復活させるための関連画像情報とが記録された画像ファイルを作成する、ことを特徴とする。
【００１１】
請求項１に記載の画像記録装置によれば、所定の画像再生時に同時に使用される複数枚の画像を取得し、前記複数枚の画像に基づいて前記複数枚の画像と同数の画像ファイルを作成し、前記画像ファイル作成手段によって作成された複数の画像ファイルを記録媒体に記録する。複数の画像のうちの任意の１つの画像と、任意の１つの画像以外の画像（複数の画像のうちのその他の画像）を復活させるための関連画像情報とが記録された画像ファイルを任意の１つの画像の画像ファイルとして作成する。関連画像情報は、複数の画像ファイルのうちのいずれか１つの画像ファイルが欠落しても該画像ファイルを復活させるために、複数枚の画像に基づいて生成される。
【００１２】
この画像ファイルを複数枚の画像全てに対して作成することにより、多視点画像やパノラマ画像など複数枚の画像を用いることではじめて画像表示ができるような場合において、複数枚の画像の一部が削除、紛失、離散などにより使用できなくなった画像を復元、修復することで、画像表示ができなくなるという不具合を防止することができる。
【００１３】
請求項２に記載の画像記録装置は、請求項１に記載の画像記録装置において、前記画像ファイル作成手段は、前記関連情報生成手段によって生成された複数の関連画像情報が、前記複数の画像ファイルに重複しないように各画像ファイルに分散して記録された画像ファイルを作成することを特徴とする。
【００１４】
請求項２に記載の画像記録装置によれば、複数の関連画像情報が複数の画像ファイルに重複しないように、各画像ファイルに分散して関連画像情報を記録する。これにより、最低限の関連画像情報で、所望の画像ファイルの復元や画像データの修復を行うことができる。
【００１５】
請求項３に記載の画像記録装置は、請求項１又は２に記載の画像記録装置において、前記画像ファイル作成手段は、前記複数の画像の関係を特定するための付属情報を生成する付属情報生成手段を更に有し、前記複数の画像ファイルのうちの任意の１つの画像ファイルを作成するときに、前記複数の画像のうちの任意の１つの画像と、前記関連情報生成手段によって生成された関連画像情報であって、前記任意の１つの画像以外の画像を復活させるための関連画像情報と、前記付属情報生成手段によって生成された前記任意の１つの画像と前記関連画像情報に対応する前記任意の１つの画像以外の画像との関係と特定するための付属情報とが記録された画像ファイルを作成することを特徴とする。
【００１６】
請求項３に記載の画像記録装置によれば、複数の画像のうちの任意の１つの画像と、任意の１つの画像以外の画像を復活させるための関連画像情報と、任意の１つの画像と関連画像情報に対応するその他の画像との関係と特定するための付属情報とが記録された画像ファイルを作成する。これにより、所望の画像ファイルの復元や画像データの修復を行うことができる関連画像情報がどの画像ファイルに含まれているかを、画像ファイルの付属情報から知ることができる。
【００１７】
請求項４に記載の画像記録装置は、請求項１から３のいずれかに記載の画像記録装置において、前記複数枚の画像は、立体画像の再生時に使用される２以上の視点から撮影された画像であることを特徴とする。
【００１８】
請求項５に記載の画像記録装置は、請求項１から３のいずれかに記載の画像記録装置において、前記複数枚の画像は、パノラマ画像の再生時に繋ぎ合わされる２以上の画像であることを特徴とする。
【００１９】
請求項６に記載の画像記録装置は、請求項４に記載の画像記録装置において、前記関連画像情報生成手段によって生成される関連画像情報は、前記複数枚の画像間の差分を示す差分画像であることを特徴とする。
【００２０】
請求項６に記載の画像記録装置によれば、複数枚の画像間の差分を示す差分画像を関連画像情報として記録する。これにより、関連画像情報を保存するのに必要な記憶容量を少なくすることができる。
【００２１】
請求項７に記載の画像記録装置は、請求項１から６のいずれかに記載の画像記録装置において、前記関連画像情報生成手段によって生成される関連画像情報は、前記画像取得手段によって取得された複数枚の画像と同じ画像であることを特徴とする。
【００２２】
請求項７に記載の画像記録装置によれば、数枚の画像のうちの、任意の画像と異なる画像を関連画像情報として記録する。全ての画像ファイルの関連画像情報は、複数枚の画像と同じ画像となる。これにより、他の画像データや画像ファイルから所望の画像データの修復や画像ファイルの復元を容易に行うことができる。
【００２３】
請求項８に記載の画像記録装置は、請求項１から７のいずれかに記載の画像記録装置において、前記関連画像情報の修復が必要かどうかを判断する判断手段と、前記複数枚の画像に基づいて、前記判断手段により修復が必要と判断された関連画像情報を修復する修復手段と、を備えたことを特徴とする。
【００２４】
請求項８に記載の画像記録装置によれば、関連画像情報の修復が必要かどうかを判断し、修復が必要と判断された場合には、前記複数枚の画像に基づいて、修復が必要と判断された関連画像情報を修復する。これにより、関連画像情報から所望の画像ファイルの復元や画像データの修復が可能な状態を常に保つことができる。
【００２５】
請求項９に記載の画像編集装置は、請求項１から８のいずれかに記載の画像記録装置により記録媒体に記録された画像ファイルを編集する画像編集装置であって、編集対象である画像を任意の１つの画像とする画像ファイルの任意の１つの画像を編集する第１の編集手段と、前記編集対象である画像に基づいて作成された関連画像情報に対して、前記第１の編集手段により行われた編集と同じ編集を行う第２の編集手段と、を備えたことを特徴とする。
【００２６】
請求項９に記載の画像編集装置によれば、編集対象である画像を任意の１つの画像（主画像）とする画像ファイルの主画像を編集し、主画像に基づいて作成された関連画像情報であって、他の画像ファイルに含まれる関連画像情報に対して、主画像と同じ編集を行う。これにより、複数枚の画像の画像ファイルが一部使用できなくなった場合においても、使用できなくなった画像ファイルの復元が可能な状態を維持して、画像データの編集を行うことができる。
【００２７】
請求項１０に記載の画像記録方法は、（ａ）所定の画像再生時に同時に使用される複数枚の画像を取得するステップと、（ｂ）前記複数の画像のうちの任意の１つの画像を選択するステップと、（ｃ）前記選択された任意の１つの画像以外の画像を復活させるための関連画像情報を作成するステップと、（ｄ）前記選択された任意の１枚の画像と、前記作成された関連画像情報とが記録された画像ファイルを作成するステップと、を含み、前記複数枚の画像に基づいて前記複数枚の画像と同数の画像ファイルを作成するように、かつ前記複数の画像ファイルのうちのいずれか１つの画像ファイルが欠落しても該画像ファイルが復活可能なように、前記ステップ（ｂ）〜（ｄ）を繰り返して複数の画像ファイルを作成し、該複数の画像ファイルを記録媒体に記録することを特徴とする。
【発明の効果】
【００２８】
本発明によれば、複数枚の画像の一部が削除、紛失、離散などにより使用できなくなった場合においても、使用できなくなった画像を復元等することにより画像表示ができなくなるという不具合を防止することができる。
【発明を実施するための最良の形態】
【００２９】
以下、添付図面に従って本発明に係るデジタルカメラを実施するための最良の形態について詳細に説明する。
【００３０】
図１は、複眼デジタルカメラ１の電気的構成を示すブロック図である。複眼デジタルカメラ１は、単視点画像（２次元画像）と、多視点画像（３次元画像）とが撮影可能であり、また、動画、静止画、音声の記録再生が可能である。また、動画、静止画どちらにおいても、単視点画像のみでなく、多視点画像の撮影も可能である。
【００３１】
複眼デジタルカメラ１には、主として、第１撮像系２ａおよび第２撮像系２ｂの２個の撮像系と、ユーザーがこの複眼デジタルカメラ１を使用するときに種々の操作を行うための操作部３と、操作の手助けを行うための操作表示ＬＣＤ４と、レリーズスイッチ５と、画像表示ＬＣＤ６とが設けられている。
【００３２】
第１撮像系２ａおよび第２撮像系２ｂは、そのレンズ光軸Ｌ１、Ｌ２が平行となるように、あるいは所定角度をなすように並設されている。
【００３３】
第１撮像系２ａは、レンズ光軸Ｌ１に沿って配列された第１ズームレンズ１１ａ、第１絞り１２ａ、第１フォーカスレンズ１３ａ、および第１イメージセンサ１４ａによって構成されている。第１絞り１２ａには絞り制御部１６ａが接続されており、また、第１イメージセンサ１４ａにはタイミングジェネレータ（ＴＧ）１８ａが接続されている。第１絞り１２ａ、第１フォーカスレンズ１３ａの動作は測光・測距ＣＰＵ１９ａによって制御される。ＴＧ１８ａの動作はメインＣＰＵ１０によって制御される。
【００３４】
第１ズームレンズ１１ａは、操作部３からのズーム操作に応じて、レンズ光軸Ｌ１に沿ってＮＥＡＲ側（繰り出し側）、あるいはＩＮＦ側（繰り込み側）に移動し、ズーム倍率を変化させる。この移動は図示しないモータで駆動される。
【００３５】
第１絞り１２ａは、ＡＥ（Auto Exposure）動作時に開口値（絞り値）を変化させて光束を制限し、露出調整を行う。
【００３６】
第１フォーカスレンズ１３ａは、ＡＦ（Auto Focus）動作時にレンズ光軸Ｌ１に沿ってＮＥＡＲ側、あるいはＩＮＦ側に移動されて合焦位置を変え、ピント調整を行う。この移動は図示しないモータで駆動される。静止画用レリーズスイッチ５ａの半押し状態が検出されたとき、メインＣＰＵ１０は第１イメージセンサ１４ａから測距データを得る。メインＣＰＵ１０は得られた測距データに基づいて、ピント、絞りなどの調整を行う。
【００３７】
第１イメージセンサ１４ａは、ＣＣＤ型やＣＭＯＳ型のイメージセンサであり、第１ズームレンズ１１ａ、第１絞り１２ａ、および第１フォーカスレンズ１３ａによって結像された被写体光を受光し、受光素子に受光量に応じた光電荷を蓄積する。第１イメージセンサ１４ａの光電荷蓄積・転送動作は、ＴＧ１８ａによって制御され、ＴＧ１８ａから入力されるタイミング信号（クロックパルス）により、電子シャッター速度（光電荷蓄積時間）が決定される。第１イメージセンサ１４ａは、撮影モード時には、１画面分の画像信号を所定周期ごとに取得する。
【００３８】
第２撮像系２ｂは、第１撮像系２ａと同一の構成であり、第２ズームレンズ１１ｂ、第２絞り１２ｂ、第２フォーカスレンズ１３ｂ、およびタイミングジェネレータ（ＴＧ）１８ｂが接続された第２イメージセンサ１４ｂによって構成されている。
【００３９】
第１撮像系２ａと第２撮像系２ｂの動作はメインＣＰＵ１０によって制御される。第１撮像系２ａと第２撮像系２ｂとは、基本的に連動して動作を行うが、各々個別に動作させることも可能となっている。
【００４０】
第１撮像系２ａと第２撮像系２ｂの第１イメージセンサ１４ａおよび第２イメージセンサ１４ｂから出力された撮像信号は、それぞれＡ／Ｄ変換器３０ａ、３０ｂに入力される。
【００４１】
Ａ／Ｄ変換器３０ａ、３０ｂは、入力された画像データをアナログからデジタルに変換する。Ａ／Ｄ変換器３０ａ、３０ｂを通して、第１イメージセンサ１４ａの撮像信号は右眼用画像データとして、第２イメージセンサ１４ｂの撮像信号は左眼用画像データとして出力される。
【００４２】
画像信号処理手段３１ａ、３１ｂは、それぞれ、階調変換、ホワイトバランス調整、γ調整処理などの各種画像処理を、Ａ／Ｄ変換器３０ａ、３０ｂから入力された右眼用画像データおよび左眼用画像データに施す。
【００４３】
バッファメモリ３２ａ、３２ｂは、画像信号処理手段３１ａ、３１ｂで各種画像処理が施された右眼用画像データおよび左眼用画像データを一時的に格納する。バッファメモリ３２ａ、３２ｂに格納された右眼用画像データおよび左眼用画像データは、システムバスを介して出力される。
【００４４】
システムバスには、メインＣＰＵ１０、ＥＥＰＲＯＭ２１、ワークメモリ２４ａ、２４ｂ、バッファメモリ３２ａ、３２ｂ、コントローラ３４、ＹＣ処理部３５ａ、３５ｂ、圧縮伸張処理手段３６ａ、３６ｂ、メディアコントローラ３７、２Ｄ／３Ｄモード切替フラグ設定手段５０、基線長／輻輳角記憶手段５１、縦／横撮り検出手段５２などが接続される。
【００４５】
メインＣＰＵ１０は、複眼デジタルカメラ１の全体の動作を統括的に制御する。メインＣＰＵ１０には、操作部３、レリーズスイッチ５、２Ｄ／３Ｄ設定スイッチ７、基線長／輻輳角制御手段５５、距離用駆動／制御手段６０が接続されている。
【００４６】
操作部３は、複眼デジタルカメラ１を作動させるための電源投入用の電源スイッチ、オート撮影やマニュアル撮影等を選択するためのモードダイヤル、各種のメニューの設定や選択あるいはズームを行うための十字キー、閃光発光用スイッチ、および十字キーで選択されたメニューの実行やキャンセル等を行うための情報位置指定キーなどで構成される。操作部３への適宜操作により、電源のオン／オフ、各種モード（撮影モード、ブラケット撮影モード、再生モード、消去モード、編集モード等）の切り替え、ズーミングなどが行われる。
【００４７】
レリーズスイッチ５は２段押しのスイッチ構造となっている。撮影モード中に、レリーズスイッチ５が軽く押圧（半押し）されると、ＡＦ動作およびＡＥ動作が行われ撮影準備処理がなされる。この状態でさらにレリーズスイッチ５が強く押圧（全押し）されると、撮影処理が行われ、右眼用画像データおよび左眼用画像データがフレームメモリ３２からメモリカード３８に転送されて記録される。
【００４８】
画像表示ＬＣＤ６は、パララックスバリア式、あるいはレンチキュラーレンズ式の３Ｄモニタであり、画像撮影時には電子ビューファインダとして使用され、画像再生時には撮影によって得られた画像データの立体表示を行う。画像表示ＬＣＤ６ａは第１撮像系２ａの出力結果を表示し、画像表示ＬＣＤ６ｂは第２撮像系２ｂの出力結果を表示する。画像表示ＬＣＤ６の詳細な構造は図示しないが、画像表示ＬＣＤ６は、その表面にパララックスバリア表示層を備えている。画像表示ＬＣＤ６は、立体表示を行う際に、パララックスバリア表示層に光透過部と光遮蔽部とが交互に所定のピッチで並んだパターンからなるパララックスバリアを発生させるとともに、その下層の画像表示面に左右の像を示す短冊状の画像断片を交互に配列して表示することで立体視を可能にする。なお、立体視を可能にする表示装置の構成は、スリットアレイシートを用いるパララックス方式に限られる必然性はなく、レンチキュラーレンズシートを用いるレンチキュラー方式、マイクロレンズアレイシートを用いるインテグラルフォトグラフィ方式、干渉現象を用いるホログラフィー方式などが採用されてもよい。
【００４９】
２Ｄ／３Ｄ設定スイッチ７は、単視点画像を撮影する２Ｄモードと、多視点画像を撮影する３Ｄモードの切り替えを指示するためのスイッチである。
【００５０】
基線長／輻輳角制御手段５５は、基線長／輻輳角記憶手段５１に記憶された基線長及び輻輳角に基づいて、基線長／輻輳角駆動手段５６ａ、５６ｂを制御して、第１撮像系２ａ及び第２撮像系２ｂの基線長（第１撮像系２ａと第２撮像系２ｂとの間隔）及び輻輳角（第１撮像系２ａのレンズ光軸Ｌ１と、第２撮像系２ｂのレンズ光軸Ｌ２との成す角度）を調整するものである。
【００５１】
基線長／輻輳角駆動手段５６ａ、５６ｂは、基線長／輻輳角制御手段５５に接続されており、基線長／輻輳角制御手段５５からの指示に従って、第１撮像系２ａ及び第２撮像系２ｂを駆動するものである。
【００５２】
基線長／輻輳角検出手段５７ａ、５７ｂは、基線長／輻輳角制御手段５５及び基線長／輻輳角駆動手段５６ａ、５６ｂに接続されており、基線長／輻輳角駆動手段５６ａ、５６ｂによってそれぞれ駆動された第１撮像系２ａ及び第２撮像系２ｂの基線長及び輻輳角を検出するものである。基線長／輻輳角制御手段５５は、前記基線長／輻輳角記憶手段５１から読み出した基線長及び輻輳角と、基線長／輻輳角検出手段５７ａ、５７ｂにおいて検出された基線長及び輻輳角に基づいて、基線長／輻輳角駆動手段５６ａ、５６ｂへ指示を出力する。
【００５３】
距離用駆動／制御手段６０は、距離用発光素子６２ａ、６２ｂの発光タイミングと距離用撮像素子６１ａ、６１ｂとを同期させる制御を行う。
【００５４】
距離用発光素子６２ａ、６２ｂは、それぞれ第１撮像系２ａおよび第２撮像系２ｂの捉えた同一被写体へ投光スポットを照射するための発光ダイオード（ＬＥＤ）で構成される。
【００５５】
距離用撮像素子６１ａ、６１ｂは、それぞれ距離用発光素子５２ａ、５２ｂにより投光スポットの照射された被写体像を取得する測距専用の２次元の撮像素子である。距離用撮像素子６１ａ、６１ｂの撮像動作で得られたアナログ画像信号は、それぞれ測距用Ａ／Ｄ変換部６３ａ、６３ｂにおいてデジタル画像データに変換されて、距離情報処理手段６４に出力される。  
【００５６】
距離情報処理手段６４は、距離用発光素子６２ａ、６２ｂから照射された光が被写体で反射されて距離用撮像素子６１ａ、６１ｂに返ってくるまでの時間を測定し、数式１に基づいて距離用撮像素子６１ａ、６１ｂの捉えた被写体までの距離を算出する。そして、算出された結果を用いて、各画素の画素値が距離の値である距離画像をそれぞれ生成する。
［数１］
Ｌ＝ｃ×Ｔｄ／２  （Ｌ：距離、ｃ：光速、Ｔｄ：反射時間）
距離情報記憶手段６５は、距離情報処理手段６４から入力された距離情報、すなわち距離用撮像素子６１ａ、６１ｂでそれぞれ撮影された距離画像を記憶する。
【００５７】
ＥＥＰＲＯＭ２１は、不揮発性メモリであり、各種制御用のプログラムや設定情報などを格納している。メインＣＰＵ１０は、このプログラムや設定情報に基づいて各種処理を実行する。
【００５８】
ワークメモリ２４ａ、２４ｂは、ＹＣ処理部３５ａ、３５ｂで処理されたＹＣ信号をそれぞれ格納する。
【００５９】
コントローラ３４は、ワークメモリ２４ａ、２４ｂに記憶された右眼用画像データおよび左眼用画像データのＹＣ信号をＹＣ／ＲＧＢ処理部２２に読み出す。
【００６０】
ＹＣ／ＲＧＢ処理部２２は、右眼用画像データおよび左眼用画像データのＹＣ信号を、所定方式の映像信号（例えば、ＮＴＳＣ方式のカラー複合映像信号）に変換した上で、画像表示ＬＣＤ６での立体表示を行うための立体画像データに合成し、表示用のＬＣＤドライバ２３に出力する。撮影モード時に電子ビューファインダとして使用される際には、ＹＣ／ＲＧＢ処理部２２によって合成された立体画像データが、ＬＣＤドライバ２３を介して画像表示ＬＣＤ６にライブビュー画像として表示される。また、撮影によって得られた画像データの立体表示を行う場合には、ＹＣ／ＲＧＢ処理部２２は、メモリカード３８に記録された各画像データがメディアコントローラ３７によって読み出されて、圧縮伸張処理手段３６ａ、３６ｂによって伸張処理が行われたデータを立体画像データに変換し、その立体画像データがＬＣＤドライバ２３を介して再生画像として画像表示ＬＣＤ６に表示される。
【００６１】
ＬＣＤドライバ２３は、ＹＣ／ＲＧＢ処理部２２から出力されたＲＧＢ信号を画像表示ＬＣＤ６に出力する。
【００６２】
ＹＣ処理部３５ａ、３５ｂは、バッファメモリ３２ａ、３２ｂに記憶された画像データを輝度信号（Ｙ信号）及び色差信号（Ｃr,Ｃb 信号）に変換するとともに、ガンマ調整等の所定の処理を施す。
【００６３】
圧縮伸張処理手段３６ａ、３６ｂは、それぞれワークメモリ２４ａ、２４ｂに記憶された右眼用画像データおよび左眼用画像データに対して、静止画ではＪＰＥＧ、動画ではＭＰＥＧ２、ＭＰＥＧ４、Ｈ．２６４方式等の所定の圧縮形式に従って圧縮処理を施す。
【００６４】
メディアコントローラ３７は、圧縮伸張処理手段３６ａ、３６ｂによって圧縮処理された各画像データを、Ｉ／Ｆ３９経由で接続されたメモリカード３８やその他の記録メディアに記録させる。
【００６５】
メモリカード３８は、複眼デジタルカメラ１に着脱自在なｘＤピクチャカード（登録商標）、スマートメディア（登録商標）に代表される半導体メモリカード、可搬型小型ハードディスク、磁気ディスク、光ディスク、光磁気ディスク等、種々の記録媒体である。
【００６６】
２Ｄ／３Ｄモード切替フラグ設定手段５０には、２Ｄモードであることまたは３Ｄモードであることを表すフラグが設定される。
【００６７】
基線長／輻輳角記憶手段５１は、測光・測距ＣＰＵ１９ａ、１９ｂに基づいて、適切な基線長や輻輳角を算出して記憶するものである。
【００６８】
縦／横撮り検出手段５２は、内蔵のセンサー（図示せず）により、縦撮りまたは横撮りのいずれで撮影を行うかを検出する。なお、縦／横撮り検出手段５２による検出は、縦撮り又は横撮りの設定を縦撮りまたは横撮りの指示を入力することにより行い、その設定を検出することにより行っても良い。
【００６９】
画像ファイル生成手段５３は、圧縮伸張処理手段３６ａ、３６ｂにより生成されたＪＰＥＧ形式の画像データの画像ファイルを生成するものである。まず、削除、紛失、離散などにより使用できなくなった画像データの修復や画像ファイルの復元ができるように、関連画像情報と付属情報とを生成する。ここで、関連画像情報とは第１撮像系２ａと第２撮像系２ｂで撮影された画像に基づいて生成される情報であり、付属情報とは画像データや関連画像情報に関する情報である。そして、画像ファイル生成手段５３は、画像データと、関連画像情報と、付属情報とが結合されたフォーマットで画像ファイルを生成する。また、画像ファイル生成手段５３は、作成した画像ファイルにＤＣＦ規定に基づいたファイル名を自動的に付けて、メディアコントローラ３７等に出力する。ここで、ＤＣＦ規定に基づいたファイル名とは、例えばＤＳＣＦ０００１のように、アルファベット４桁（４文字の自由文字）と数字４桁（ファイル番号０００１〜９９９９）とで構成されるものである。なお、画像ファイル、関連画像情報、付属情報等の詳細については、後に詳述する。
【００７０】
また、複眼デジタルカメラ１には、電源電池６８が着脱可能に設けられている。
【００７１】
電源電池６８は、充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は、図示しない電池収納室に装填することにより、複眼デジタルカメラ１の各手段と電気的に接続される。
【００７２】
充電・発光制御部４３ａ、４３ｂは、電源電池６８からの電力の供給を受けて、それぞれストロボ４４ａ、４４ｂを発光させるために、図示しない閃光発光用のコンデンサを充電し、ストロボ４４ａ、４４ｂの発光を制御する。
【００７３】
充電・発光制御部４３ａ、４３ｂは、レリーズスイッチ５の半押し・全押し操作信号等の各種の信号や、発光量、発光タイミングを示す信号を、メインＣＰＵ１０や測光・測距ＣＰＵ１９ａ、１９ｂから取り込んだことに応じて、ストロボ４４ａ、４４ｂへの電流供給制御を行い、所望の発光量が所望のタイミングで得られるように制御する。
【００７４】
なお、図１の複眼デジタルカメラ１においては、２系統の撮像系（第１撮像系２ａおよび第２撮像系２ｂ）を有する例を示すが、撮像系が３個以上あってもよい。また、撮像系の配置は、横一列でなくても二次元で配置されていてもよい。
【００７５】
また、図１の複眼デジタルカメラ１は、立体撮影のみでなく、マルチ視点や全方向の撮影、パノラマ画像の撮影も可能である。
【００７６】
上記のように構成された複眼デジタルカメラ１の撮影、記録動作及び再生動作について説明する。
【００７７】
この複眼デジタルカメラ１において、電源ボタン（図示せず）がＯＮ操作されると、メインＣＰＵ１０はこれを検出し、カメラ内電源をＯＮにし、撮影モードで撮影スタンバイ状態にする。また、２Ｄ／３Ｄ設定スイッチ７で２Ｄモードか３Ｄモードのどちらかに設定する。
【００７８】
この撮影スタンバイ状態では、メインＣＰＵ１０は、通常、以下のようにして画像表示ＬＣＤ６に動画（ライブビュー画像）を表示させる。
【００７９】
まず、メインＣＰＵ１０は、２Ｄ／３Ｄモード切替フラグ設定手段５０を参照し、単視点画像（２次元画像）を取得する２Ｄモードか、多視点画像（３次元画像）を取得する３Ｄモードかを検出する。２Ｄモードの場合は第１撮像系２ａのみを駆動し、３Ｄモードの場合は第１撮像系２ａ及び第２撮像系２ｂを駆動する。
【００８０】
第１ズームレンズ１１ａ、第２ズームレンズ１１ｂ、第１フォーカスレンズ１３ａ、第２フォーカスレンズ１３ｂが所定位置まで繰り出され、その後第１イメージセンサ１４ａ、第２イメージセンサ１４ｂによってライブビュー画像用の撮影が行われ、画像表示ＬＣＤ６にライブビュー画像が表示される。すなわち、第１イメージセンサ１４ａ、第２イメージセンサ１４ｂで連続的に画像が撮像され、その画像信号が連続的に処理されて、ライブビュー画像用の画像データが生成される。生成された画像データは、順次コントローラ３４に加えられ、表示用の信号形式に変換されて、画像表示ＬＣＤ６に出力される。これにより、第１イメージセンサ１４ａ、第２イメージセンサ１４ｂで捉えた画像が画像表示ＬＣＤ６にスルー表示される。
【００８１】
ユーザ（撮影者）は、画像表示ＬＣＤ６に表示されるライブビュー画を見ながらフレーミングしたり、撮影したい被写体を確認したり、撮影後の画像を確認したり、撮影条件を設定したりする。
【００８２】
上記撮影スタンバイ状態時にレリーズスイッチ５が半押しされると、メインＣＰＵ１０にＳ１ＯＮ信号が入力される。メインＣＰＵ１０はこれを検知し、ＡＥ測光、ＡＦ制御を行う。ＡＥ測光時には、第１イメージセンサ１４ａ、第２イメージセンサ１４ｂを介して取り込まれる画像信号の積算値等に基づいて被写体の明るさを測光する。この測光した値（測光値）は、本撮影時における第１絞り１２ａ、第２絞り１２ｂの絞り値、及びシャッター速度の決定に使用される。同時に、検出された被写体輝度より、ストロボの発光が必要かどうかを判断する。同時に、検出された被写体輝度より、ストロボの発光が必要かどうかを判断する。ストロボ４４ａ、４４ｂの発光が必要と判断された場合には、ストロボ４４ａ、４４ｂをプリ発光させ、その反射光に基づいて本撮影時のストロボ４４ａ、４４ｂの発光量を決定する。３Ｄモードの場合には、上記以外に、基線長／輻輳角記憶手段５１に記憶された撮影者毎の基線長、輻輳角の情報に基づいて、第１撮像系２ａおよび第２撮像系２ｂの基線長及び輻輳角を調整する。
【００８３】
レリーズスイッチ５が全押しされると、メインＣＰＵ１０にＳ２ＯＮ信号が入力される。メインＣＰＵ１０は、このＳ２ＯＮ信号に応動して、撮影、記録処理を実行する。
【００８４】
まず、メインＣＰＵ１０は、前記測光値に基づいて決定した絞り値に基づいて絞り制御部１６ａ、１６ｂを介して第１絞り１２ａ、第２絞り１２ｂを駆動するとともに、前記測光値に基づいて決定したシャッター速度になるように第１イメージセンサ１４ａ、第２イメージセンサ１４ｂでの電荷蓄積時間（いわゆる電子シャッター）を制御する。
【００８５】
また、メインＣＰＵ１０は、バッファメモリ３２ａ、３２ｂに格納される右眼用画像データおよび左眼用画像データの各々からＡＦ評価値およびＡＥ評価値を算出する。ＡＦ評価値は、各画像データの全領域または所定領域（例えば中央部）について輝度値の高周波成分を積算することにより算出され、画像の鮮鋭度を表す。輝度値の高周波成分とは、隣接する画素間の輝度差（コントラスト）を所定領域内について足し合わせたものである。ＡＥ評価値は、各画像データの全領域または所定領域（例えば中央部）について輝度値を積算することにより算出され、画像の明るさを表す。ＡＦ評価値およびＡＥ評価値は、後述する撮影準備処理時に実行されるＡＦ動作およびＡＥ動作においてそれぞれ使用される。
【００８６】
メインＣＰＵ１０は、メインＣＰＵ１０が第１フォーカスレンズ１３ａおよび第２フォーカスレンズ１３ｂを制御してそれぞれ所定方向に移動させながら、順次に得られる右眼用画像データおよび左眼用画像データの各々から算出されたＡＦ評価値の最大値を求めることにより、ＡＦ動作（コントラストＡＦ）を行う。
【００８７】
この際、ストロボ４４ａ、４４ｂを発光させる場合は、プリ発光の結果から求めたストロボ４４ａ、４４ｂの発光量に基づいてストロボ４４ａ、４４ｂを発光させる。
【００８８】
被写体光は、第１ズームレンズ１１ａ、第１絞り１２ａ、および第１フォーカスレンズ１３ａを介して第１イメージセンサ１４ａの受光面に入射する。また、第２ズームレンズ１１ｂ、第２絞り１２ｂ、および第２フォーカスレンズ１３ｂを介して第２イメージセンサ１４ｂの受光面に入射する。
【００８９】
第１イメージセンサ１４ａ、第２イメージセンサ１４ｂは、所定のカラーフィルタ配列（例えば、ハニカム配列、ベイヤ配列）のＲ、Ｇ、Ｂのカラーフィルタが設けられたカラーＣＣＤで構成されており、第１イメージセンサ１４ａ、第２イメージセンサ１４ｂの受光面に入射した光は、その受光面に配列された各フォトダイオードによって入射光量に応じた量の信号電荷に変換される。各フォトダイオードに蓄積された信号電荷は、タイミングジェネレータ（ＴＧ）１８ａから加えられるタイミング信号に従って読み出され、電圧信号（画像信号）として第１イメージセンサ１４ａ、第２イメージセンサ１４ｂから順次出力され、Ａ／Ｄ変換器３０ａ、３０ｂに入力される。
【００９０】
Ａ／Ｄ変換器３０ａ、３０ｂは、ＣＤＳ回路及びアナログアンプを含み、ＣＤＳ回路は、ＣＤＳパルスに基づいてＣＣＤ出力信号を相関二重サンプリング処理し、アナログアンプは、メインＣＰＵ１０から加えられる撮影感度設定用ゲインによってＣＤＳ回路から出力される画像信号を増幅する。Ａ／Ｄ変換器３０ａ、３０ｂにおいて、それぞれアナログの画像信号からデジタルの画像信号に変換される。
【００９１】
Ａ／Ｄ変換器３０ａ、３０ｂから出力された右眼用画像データおよび左眼用画像データは、それぞれ画像信号処理手段３１ａ、３１ｂで階調変換、ホワイトバランス調整、γ調整処理などの各種画像処理を施され、バッファメモリ３２ａ、３２ｂに一旦蓄えられる。
【００９２】
バッファメモリ３２ａ、３２ｂから読み出されたＲ、Ｇ、Ｂの画像信号は、ＹＣ処理部３５ａ、３５ｂにより輝度信号Ｙと色差信号Ｃｒ、Ｃｂ（ＹＣ信号）に変換され、Ｙ信号は、輪郭調整手段により輪郭強調処理される。ＹＣ処理部３５ａ、３５ｂで処理されたＹＣ信号は、それぞれワークメモリ２４ａ、２４ｂに蓄えられる。
【００９３】
上記のようにしてバッファメモリ３２ａ、３２ｂに蓄えられたＹＣ信号は、圧縮伸張処理手段３６ａ、３６ｂによって圧縮され、所定のフォーマットの画像ファイルとして、Ｉ／Ｆ３９を介してメモリカード３８に記録される。本例の複眼デジタルカメラ１の場合、静止画の２次元画像のデータは、所定のフォーマットの画像ファイル（画像ファイルについては後に詳述する）としてメモリカード３８に格納される。Ｅｘｉｆファイルは、主画像のデータを格納する領域と、縮小画像（サムネイル画像）のデータを格納する領域とを有している。撮影によって取得された主画像のデータから画素の間引き処理その他の必要なデータ処理を経て、規定サイズ（例えば、１６０×１２０又は８０×６０ピクセルなど）のサムネイル画像が生成される。こうして生成されたサムネイル画像は、主画像とともにＥｘｉｆファイル内に書き込まれる。また、Ｅｘｉｆファイルには、撮影日時、撮影条件、顔検出情報等のタグ情報が付属されている。動画のデータは、ＭＰＥＧ２、ＭＰＥＧ４、Ｈ．２６４方式等の所定の圧縮形式に従って圧縮処理が施されてメモリカード３８に格納される。
【００９４】
また、メインＣＰＵ１０は、このＳ２ＯＮ信号に応動して距離用駆動／制御手段６０を制御し、距離用撮像素子６１ａ、６１ｂを介して距離用発光素子５２ａ、５２ｂにより投光スポットの照射された被写体像を取得する。取得された被写体像は、距離情報処理手段６４で処理が行われ、各画素の画素値が距離の値である距離画像が距離用撮像素子６１ａ、６１ｂのそれぞれに対して生成され、距離情報記憶手段６５に記憶される。そして、所定のフォーマットの画像ファイルと共にメモリカード３８に記録される。
【００９５】
このようにしてメモリカード３８に記録された画像データは、複眼デジタルカメラ１のモードを再生モードに設定することにより、画像表示ＬＣＤ６に再生表示される。再生モードへの移行は、再生ボタン（図示せず）を押下することにより行われる。
【００９６】
再生モードが選択されると、メモリカード３８に記録されている最終コマの画像ファイルがＩ／Ｆ３９を介して読み出される。この読み出された画像ファイルの圧縮データは、圧縮伸張処理手段３６ａ、３６ｂを介して非圧縮のＹＣ信号に伸長される。
【００９７】
伸長されたＹＣ信号は、バッファメモリ３２ａ、３２ｂ（又は図示しないＶＲＡＭ）に保持され、コントローラ３４によって表示用の信号形式に変換されて画像表示ＬＣＤ６に出力される。
【００９８】
その後、順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置の画像ファイルがメモリカード３８から読み出され、上記と同様にして画像が画像表示ＬＣＤ６に再生される。
【００９９】
画像表示ＬＣＤ６に再生表示された画像を確認しながら、必要に応じて、メモリカード３８に記録された画像を消去することができる。画像の消去は、画像が画像表示ＬＣＤ６に再生表示された状態でフォトモードボタンが押下されることによって行われる。
【０１００】
また、画像表示ＬＣＤ６に再生表示された画像を確認しながら、必要に応じて、メモリカード３８に記録された画像を編集することができる。画像の編集は、画像が画像表示ＬＣＤ６に再生表示された状態で、操作部３により編集モードが選択されることによって行われる。
【０１０１】
以上のように、複眼デジタルカメラ１は画像の撮影、記録及び再生を行う。上記説明は、静止画を撮影する場合について説明したが、動画の場合も同様である。動画、静止画の撮影は、個々のレリーズボタンにより制御される。また、動画、静止画のモードセレクトＳＷやメニューにより、動画、静止画の切り替えを行うようにしてもよい。また、上記説明は、１回のシャッターレリーズ動作で第１撮像系２ａ及び第２撮像系２ｂの２つの撮像系を介して２枚の画像を撮影する場合について説明したが、１回のシャッターレリーズ動作で第１撮像系２ａ及び第２撮像系２ｂにおいて連続的に画像データを取得することにより、２枚以上の画像を撮影し、それらの画像の中から所望の複数枚の画像を選択して立体表示するようにしてもよい。
【０１０２】
［本願発明の概要］
さて、本願発明では、画像ファイル生成手段５３において、第１撮像系２ａ及び第２撮像系２ｂで撮影された多視点画像を構成する各画像毎にそれぞれ別個の画像ファイルが生成され、それぞれの画像ファイルが関連付けられてメモリカード３８に記録される。画像ファイルには、各画像の画像データ（主画像の画像データ）と、主画像を復元するための関連画像情報と、主画像の画像データと関連画像情報に関する付属情報とが各画像ファイルに含まれる。以下、画像ファイルの構成、配置等の詳細について説明する。
【０１０３】
［画像ファイルの構成について］
＜画像ファイルの構成についての第１の実施の形態＞
画像ファイルの構成についての第１の実施の形態は、主画像とは異なる視点から撮影された画像を関連画像情報として記録する形態である。以下、多視点画像として第１撮像系２ａ及び第２撮像系２ｂにより各２枚（合計４枚）の画像が撮影された場合における画像ファイルの構成についての第１の実施の形態について、図２及び図３を用いて説明する。便宜上、第１撮像系２ａで１回目に撮影された画像を視点１の画像とし、第１撮像系２ａで２回目に撮影された画像を視点２の画像とし、第２撮像系２ｂで１回目に撮影された画像を視点３の画像とし、第２撮像系２ｂで２回目に撮影された画像を視点４の画像として説明する。
【０１０４】
多視点画像の画像ファイルは、視点１の画像ファイルＦ１０（ファイル名：ABCD0001.JPG）と、視点２の画像ファイルＦ１１（ファイル名：ABCD0002.JPG）と、視点３の画像ファイルＦ１２（ファイル名：ABCD0003.JPG）と、視点４の画像ファイルＦ１３（ファイル名：ABCD0004.JPG）との４個の画像ファイルで構成されている。視点１の画像ファイルＦ１０、視点２の画像ファイルＦ１１、視点３の画像ファイルＦ１２及び視点４の画像ファイルＦ１３には連続したファイル名が自動的に付けられ、これらの画像ファイルの関連付けが行われる。
【０１０５】
視点１の画像ファイルＦ１０は、画像ファイルＦ１０のデータの先頭を示すマーカＳＯＩ（Start of Image）の格納領域Ａ１０１と、タグ情報格納領域Ａ１０２と、視点１の画像（主画像）の画像データ格納領域Ａ１０３と、データの終了を示すマーカＥＯＩ（End of Image）の格納領域Ａ１０４と、関連画像情報格納領域Ａ１０５とで構成される。視点２の画像ファイルＦ１１は、画像ファイルＦ１１のデータの先頭を示すマーカＳＯＩの格納領域Ａ１１１と、タグ情報格納領域Ａ１１２と、視点２の画像（主画像）の画像データ格納領域Ａ１１３と、データの終了を示すマーカＥＯＩの格納領域Ａ１１４と、関連画像情報格納領域Ａ１１５とで構成される。視点３の画像ファイルＦ１２は、画像ファイルＦ１２のデータの先頭を示すマーカＳＯＩの格納領域Ａ１２１と、タグ情報格納領域Ａ１２２と、視点３の画像（主画像）の画像データ格納領域Ａ１２３と、データの終了を示すマーカＥＯＩの格納領域Ａ１２４と、関連画像情報格納領域Ａ１２５とで構成される。視点４の画像ファイルＦ１３は、画像ファイルＦ１３のデータの先頭を示すマーカＳＯＩの格納領域Ａ１３１と、タグ情報格納領域Ａ１３２と、視点４の画像（主画像）の画像データ格納領域Ａ１３３と、データの終了を示すマーカＥＯＩの格納領域Ａ１３４と、関連画像情報格納領域Ａ１３５とで構成される。
【０１０６】
画像データ格納領域Ａ１０３、Ａ１１３、Ａ１２３、Ａ１３３には、各画像ファイルの主画像の画像データが格納される。ここで、主画像とは第１撮像系２ａ及び第２撮像系２ｂで撮影された画像のうちの所望の１枚の画像であり、視点１の画像ファイルＦ１０の場合には視点１の画像が主画像であり、視点２の画像ファイルＦ１１の場合には視点２の画像が主画像であり、視点３の画像ファイルＦ１２の場合には視点３の画像が主画像であり、視点４の画像ファイルＦ１３の場合には視点４の画像が主画像である。
【０１０７】
関連画像情報格納領域Ａ１０５、Ａ１１５、Ａ１２５、Ａ１３５には、主画像とは異なる所望の１枚の視点の画像の画像データが格納される。視点１の画像ファイルＦ１０の関連画像情報格納領域Ａ１０５には、視点４の画像の画像データが格納され、視点２の画像ファイルＦ１１の関連画像情報格納領域Ａ１１５には、視点１の画像の画像データが格納され、視点３の画像ファイルＦ１２の関連画像情報格納領域Ａ１２５には、視点２の画像の画像データが格納され、視点４の画像ファイルＦ１３の関連画像情報格納領域Ａ１３５には、視点１の画像の画像データが格納される。このように、関連画像情報格納領域Ａ１０５、Ａ１１５、Ａ１２５、Ａ１３５に格納される画像データが重複せず、これにより関連画像情報格納領域Ａ１０５、Ａ１１５、Ａ１２５、Ａ１３５により視点１、視点２、視点３及び視点４の全ての主画像の画像データを容易に作成することができる。
【０１０８】
タグ情報格納領域Ａ１０２、Ａ１１２、Ａ１２２、Ａ１３２には、図３に示すように、Ｅｘｉｆ識別情報Ａ１０２１と、ＴＩＦＦヘッダＡ１０２２と、ＩＦＤ０領域Ａ１０２３と、付属情報Ａ１０２４とで構成される。付属情報Ａ１０２４には、全視点数を格納する領域Ｂ１１と、主画像がどの視点で撮影された画像かを示す情報を格納する領域（視点画像領域）Ｂ１２と、関連画像情報に含まれる画像がどの視点で撮影された画像かを示す情報を格納する領域（関連画像領域）Ｂ１３と、主画像の画像データがどの画像ファイルの関連画像領域に格納されているかを示す情報を格納する領域（関連視点画像情報領域）Ｂ１４と、その他付属情報を格納する領域Ｂ１５とが設けられている。
【０１０９】
全視点数領域Ｂ１１には、多視点画像を構成する画像の枚数（視点数）が格納される。本実施の形態では、視点１〜４の４枚の画像で多視点画像が構成されるため、全視点数領域Ｂ１１には「４」が格納される。
【０１１０】
視点画像領域Ｂ１２には、画像ファイルの主画像の視点番号が格納される。画像ファイルＦ１０は視点１が主画像の場合であるため、視点画像領域Ｂ１２には「１」が格納される。
【０１１１】
関連画像領域Ｂ１３には、関連画像情報に含まれる画像の視点が格納される。画像ファイルＦ１０の場合には、視点４の画像データが関連画像情報に格納されているため、関連画像領域Ｂ１３には「４」が格納される。
【０１１２】
関連視点画像情報領域Ｂ１４には、主画像が関連画像情報として格納されている画像ファイルのファイル名及びその画像ファイルが配置されている位置が格納される。画像ファイルＦ１０の場合には、主画像は視点１の画像であり、視点１が関連画像情報として格納されている画像ファイルは視点２の画像ファイルＦ１１であり、視点２の画像ファイルＦ１１はDCIMフォルダ内の100ABCDEフォルダに配置されているため、関連視点画像情報領域には、「/DCIM/100ABCDE/ABCD0002.JPG」が格納される。
【０１１３】
このように、付属情報により画像ファイルＦ１０〜Ｆ１３の関連付けが行われる。全視点数領域Ｂ１１に格納されている全視点数が「４」であり、視点画像領域Ｂ１２に格納されている主画像の視点番号が「１」であるため、視点１の画像ファイルＦ１０（ファイル名：ABCD0001.JPG）を先頭に４枚の画像で多視点画像として関連付けられていることが分かる。なお、画像ファイルの配置については、後に詳述する。
【０１１４】
このように、視点１〜４の全ての画像に対して生成された画像ファイルＦ１０〜Ｆ１３の関連画像情報に重複する情報が含まれないように、関連画像情報に格納する画像を選択されることにより、最低限の関連画像情報で、関連画像情報に基づいて主画像を復元することができる。また、付属情報に主画像の画像データが関連画像情報として格納されている画像ファイルを示す情報が格納されているため、主画像が復元可能な関連画像情報がどの画像ファイルに含まれているかを、画像ファイルの付属情報から知ることができる。
【０１１５】
＜画像ファイルの構成についての第２の実施の形態＞
画像ファイルの構成についての第２の実施の形態は、主画像と、主画像とは異なる視点から撮影された画像との差分情報を関連画像情報として記録する形態である。以下、第１撮像系２ａ及び第２撮像系２ｂにより各２枚の画像が撮影され、その中から選択された３枚の画像で多視点画像が構成された場合における画像ファイルの構成についての第２の実施の形態について図４及び図５を用いて説明する。なお、画像ファイルの構成についての第１の実施の形態と同一の部分については、同一の符号を付し、説明を省略する。便宜上、第１撮像系２ａで１回目に撮影された画像を視点１の画像とし、第１撮像系２ａで２回目に撮影された画像を視点２の画像とし、第２撮像系２ｂで１回目に撮影された画像を視点３の画像とし、第２撮像系２ｂで２回目に撮影された画像は使用しないとして説明する。
【０１１６】
視点画像の画像ファイルは、視点１の画像ファイルＦ２０（ファイル名：3DF_0001.JPG）と、視点２の画像ファイルＦ２１（ファイル名：3DF_0002.JPG）と、視点３の画像ファイルＦ２２（ファイル名：3DF_0003.JPG）との３個の画像ファイルで構成されている。視点１の画像ファイルＦ２０、視点２の画像ファイルＦ２１及び視点３の画像ファイルＦ２２には連続したファイル名が自動的に付けられ、これらの画像ファイルの関連付けが行われる。
【０１１７】
視点１の画像ファイルＦ２０は、画像ファイルＦ２０のデータの先頭を示すマーカＳＯＩの格納領域Ａ１０１と、タグ情報格納領域Ａ２０２と、視点１の画像（主画像）の画像データ格納領域Ａ１０３と、データの終了を示すマーカＥＯＩの格納領域Ａ１０４と、付属情報領域Ａ２０６と、関連画像情報格納領域Ａ２０５とで構成される。視点２の画像ファイルＦ２１は、画像ファイルＦ２１のデータの先頭を示すマーカＳＯＩの格納領域Ａ１１１と、タグ情報格納領域Ａ２１２と、視点２の画像（主画像）の画像データ格納領域Ａ１１３と、データの終了を示すマーカＥＯＩの格納領域Ａ１１４と、付属情報領域Ａ２１６と、関連画像情報格納領域Ａ２１５とで構成される。視点３の画像ファイルＦ２２は、画像ファイルＦ１２のデータの先頭を示すマーカＳＯＩの格納領域Ａ１２１と、タグ情報格納領域Ａ２２２と、視点３の画像（主画像）の画像データ格納領域Ａ１２３と、データの終了を示すマーカＥＯＩの格納領域Ａ１２４と、付属情報領域Ａ２２６と、関連画像情報格納領域Ａ２２５とで構成される。
【０１１８】
なお、図４に示す例では、付属情報領域Ａ２０６、Ａ２１６、Ａ２２６及び関連画像情報格納領域Ａ２０５、Ａ２１５、Ａ２２５が、ＥＯＩの格納領域Ａ１０４、Ａ１１４、Ａ１２４の次にそれぞれ格納されているが、図５に示すように、付属情報領域Ａ２０６、Ａ２１６、Ａ２２６及び関連画像情報格納領域Ａ２０５、Ａ２１５、Ａ２２５をタグ情報格納領域Ａ２０２’ 、Ａ２１２’、Ａ２２２ ’の中にそれぞれ格納してもよい。この場合には、タグ情報格納領域Ａ２０２’には、タグ情報格納領域Ａ２０２に格納されているＥｘｉｆ識別情報Ａ１０２１、ＴＩＦＦヘッダＡ１０２２、ＩＦＤ０領域Ａ１０２３及び付属情報Ａ１０２４に加えて、付属情報領域Ａ２０６及び関連画像情報格納領域Ａ２０５画が格納される。タグ情報格納領域Ａ２１２’、Ａ２２２’については、タグ情報格納領域Ａ２０２’と同様の構成であるため、説明を省略する。
【０１１９】
関連画像情報格納領域Ａ２０５、Ａ２１５、Ａ２２５には、主画像以外の全ての画像の画像データと、主画像の画像データとの差分情報が格納される。視点１の画像ファイルＦ２０の関連画像情報格納領域Ａ２０５には、視点２の画像データと視点１（主画像）の画像データとの差分画像データ及び視点３の画像データと視点１の画像データとの差分画像データが格納され、視点２の画像ファイルＦ２１の関連画像情報格納領域Ａ２１５には、視点１の画像データと視点２（主画像）の画像データとの差分画像データ及び視点３の画像データと視点２の画像データとの差分画像データが格納され、視点３の画像ファイルＦ２２の関連画像情報格納領域Ａ２２５には、視点１の画像データと視点３（主画像）の画像データとの差分画像データ及び視点２の画像データと視点３の画像データとの差分画像データが格納される。このように、関連画像情報格納領域Ａ２０５、Ａ２１５、Ａ２２５に主画像以外の所望の画像の画像データと、主画像の画像データとの差分情報を関連画像情報として格納することにより、関連画像情報を保存するのに必要な記憶容量を少なくすることができる。また、主画像以外の全ての画像の画像データと、主画像の画像データとの差分情報が関連画像情報として生成されることにより、１つの画像ファイルの関連画像情報に基づいて、全ての主画像を復元することができる。
【０１２０】
付属情報領域Ａ２０６、Ａ２１６、Ａ２２６には、図５に示すように、全視点数を格納する領域Ｂ２１と、主画像がどの視点で撮影された画像かを示す情報を格納する領域（視点画像領域）Ｂ２２と、関連画像情報に含まれる画像がどの視点で撮影された画像かを示す情報を格納する領域（関連画像領域）Ｂ２３、Ｂ２４と、主画像の画像データがどの画像ファイルの関連画像領域に格納されているかを示す情報を格納する領域（関連視点画像情報領域）Ｂ２５、Ｂ２６と、その他付属情報を格納する領域Ｂ２７とが設けられている。
【０１２１】
全視点数領域Ｂ２１には、多視点画像を構成する画像の枚数（視点数）が格納される。本実施の形態では、視点１〜３の３枚の画像で多視点画像が構成されるため、全視点数領域Ｂ２１には「３」が格納される。
【０１２２】
視点画像領域Ｂ２２には、画像ファイルの主画像の視点番号が格納される。画像ファイルＦ２０は視点１が主画像の場合であるため、視点画像領域Ｂ２２には「１」が格納される。
【０１２３】
関連画像領域１Ｂ２３、関連画像領域２Ｂ２４には、関連画像情報に含まれる画像データの情報が格納される。画像ファイルＦ２０の場合には、視点２の画像データと視点１の画像データとの差分画像データと、視点３の画像データと視点１の画像データとの差分画像データとが関連画像情報に格納されているため、関連画像領域１Ｂ２３には「△（２−１）」が格納され、関連画像領域２Ｂ２４には「△（３−１）」が格納される。
【０１２４】
関連視点画像情報領域１Ｂ２５、関連視点画像情報領域２Ｂ２６には、主画像が関連画像情報として格納されている画像ファイルのファイル名及びその画像ファイルが配置されている位置が格納される。画像ファイルＦ２０の場合には、主画像は視点１の画像であり、視点１が関連画像情報として格納されている画像ファイルは、視点２の画像ファイルＦ２１及び視点３の画像ファイルＦ２２であり、視点２の画像ファイルＦ２１及び視点３の画像ファイルＦ２２はDCIMフォルダ内の101_3DVFフォルダ内に配置されているため、関連視点画像情報領域１Ｂ２５には、「/DCIM/101_3DVF/3DF_0002.JPG」が格納され、関連視点画像情報領域２Ｂ２６には、「/DCIM/101_3DVF/3DF_0003.JPG」が格納される。
【０１２５】
このように、付属情報により画像ファイルＦ２０〜Ｆ２２の関連付けが行われる。なお、画像ファイルの配置については、後に詳述する。
【０１２６】
このように、主画像以外の全ての画像の画像データ又は主画像以外の全ての画像の画像データと、主画像の画像データとの差分情報が関連画像情報として生成されることにより、１つの画像ファイルの関連画像情報に基づいて、主画像を復元することができる。また、主画像以外の画像データと、主画像の画像データとの差分情報を関連画像情報とすることにより、複数枚の画像に関する情報が関連画像情報に含まれているとしても、関連画像情報を格納するのに必要な記憶容量を少なくすることができる。
【０１２７】
なお、本実施の形態において関連画像情報に格納された視点画像の画像データを用いる場合には、まず関連画像情報に格納された差分画像データと主画像の画像データを足し合わせることにより関連画像情報の視点番号の画像データを作成する必要がある。その後で、後に詳述する画像ファイルの復元処理や関連画像情報の修復処理に使用すればよい。
【０１２８】
［画像ファイルの配置について］
＜画像ファイルの配置についての第１の実施の形態＞
多視点画像をフォルダ別に保存する方法について、４枚の画像から多視点画像が構成されている場合（視点数：４）を例に図６を用いて説明する。視点１の画像ファイルABCD0001、視点２の画像ファイルABCD0002、視点３の画像ファイルABCD0003及び視点４の画像ファイルABCD0004が同一のフォルダ100ABCDEに保存される。別の多視点画像を構成する４枚の画像の画像ファイルABCD0005、ABCD0006、ABCD0007及びABCD0008は、画像ファイルABCD0001、ABCD0002、ABCD0003及びABCD0004が保存されているフォルダとは別のフォルダ101ABCDEに保存される。このように多視点画像をフォルダ別に保存することにより、多視点画像を構成する４枚の画像の関連付け及び他の多視点画像との識別が可能となる。
【０１２９】
なお、本実施の形態では、複眼デジタルカメラ１を用いて多視点画像が撮影された場合を例に説明したが、これに限らず、パノラマ画像等の複数枚の画像を用いることではじめて画像表示ができるようなあらゆる場合にも適用することができる。
【０１３０】
＜画像ファイルの配置についての第２の実施の形態＞
３枚の画像から多視点画像が構成されている場合（視点数：３）を例に図７を用いて説明する。画像ファイルのファイル名ABCD0001の下２桁01を01,02,03、11,12,13、21,22,23・・・というように変化させる命名規則を設ける。命名された全ての画像ファイルは同一フォルダ100ABCDEに保存される。このように多視点画像毎にファイル名を変えることにより、多視点画像を構成する３枚の画像の関連付け及び他の多視点画像を構成する３枚の画像との識別が可能となる。
【０１３１】
＜画像ファイルの配置についての第３の実施の形態＞
３枚の画像から多視点画像が構成されている場合（視点数：３）を例に図８を用いて説明する。画像ファイルのファイル名ABCD0001の下２桁01を01,02,03、04,05,06・・・のように昇順に変化させるという命名規則を設ける。命名された全ての画像ファイルは同一フォルダ100ABCDEに保存される。この場合には、画像ファイルの関連付けは付属情報のみで行われ、多視点画像を構成する画像の枚数や視点番号は、画像ファイル中の付属情報を参照することで判断される。
【０１３２】
［画像ファイルの復元処理］
多視点画像を構成する画像のうちの１枚の画像の画像ファイルを紛失した場合における当該画像ファイルの復元処理について、図９を用いて説明する。以下の処理は、メインＣＰＵ１０によって行われる。
【０１３３】
まず、多視点画像を構成する視点数分の画像ファイルを取得する（ステップＳ１）。視点数分の画像ファイルの取得方法は、先述した画像ファイルの配置の形態によって異なる。図６に示す画像ファイルの配置の場合には、フォルダにより関連付けされているため、所定のフォルダ内の４ファイル（４視点分）、例えばフォルダ100ABCDE内にある４枚の画像ファイルABCD0001、ABCD0002、ABCD0003及びABCD0004を取得する。図７に示す画像ファイルの配置の場合には、ファイル名で関連付けされているため、ファイル名から必要な３視点分のファイルを識別して取得する。例えば、フォルダ100ABCDE内にある画像ファイルのファイル名がABCD0001, ABCD0002, ABCD0003, ABCD0011, ABCD0012, ABCD0013・・・となっているため、ファイル名ABCD0001, ABCD0002, ABCD0003の３枚の画像ファイルで多視点画像を構成すると識別して、これら３枚の画像ファイルを取得する。図８に示す画像ファイルの配置の場合には、まず、任意の１ファイルを取得し、そのファイルの付属情報から視点数と視点番号を取得する。次に、取得した視点数と視点番号から多視点画像を構成する画像ファイルを識別して取得する。例えば、画像ファイルABCD0023.JPGを任意の１ファイルとして取得した場合には、画像ファイルABCD0023.JPGの視点数が３であり、かつ視点番号が２であり、これらの情報から視点番号１の画像ファイルABCD0022.JPGと、視点番号３の画像ファイルはABCD0024.JPGを識別することができる。
【０１３４】
次に、全ての視点画像が揃っているかどうかを判定する（ステップＳ２）。全ての視点画像が揃っている場合（ステップＳ２でＹＥＳ）には、主画像の画像データや関連画像情報の修復要否を判定し、必要に応じて修復処理（後述)を行う（ステップＳ３）。そして、画像ファイルを紛失した場合の処理を終了して、編集、再生、複製などの所望の別処理を行う。
【０１３５】
全ての視点画像が揃っていない場合（ステップＳ２でＮＯ）には、復元が必要な視点画像の特定を行う（ステップＳ４）。復元が必要な視点画像は、取得した画像ファイルのファイル名や、画像ファイル内の付属情報を参照することによって行うことができる。
【０１３６】
ステップＳ４で特定された画像ファイルの復元が可能かどうか判定する（ステップＳ５）。例えば、視点数が４の場合で２視点の画像ファイルが無い場合や、視点１の画像ファイルのみが無い場合でも、当該視点画像を関連画像として持つべき画像ファイルから関連画像が消えてしまっている場合などは、復元不可（ステップＳ５でＮＯ）としてエラー処理を行う（ステップＳ６）。
【０１３７】
以下、ステップＳ５で画像ファイルの復元が可能な場合（ステップＳ５でＹＥＳ）について、図２に示す形態の画像ファイルで「視点２画像ファイル」が無くなっていた場合を例に説明する。
【０１３８】
まず、主画像の復元用の画像を抽出する（ステップＳ７）。視点３画像ファイルの付属情報には、関連画像情報に視点２の画像ファイルが格納されていることが記載されているため、視点２の画像データを視点３画像ファイルから抽出する。
【０１３９】
次に、関連画像情報の復元用の画像を抽出する（ステップＳ８）。視点１画像ファイルの付属情報には、主画像として視点１の画像データが格納されていることが記載されているため、視点１の画像データを視点１画像ファイルから抽出する。
【０１４０】
そして、画像ファイルの復元用の付属情報を生成する（ステップＳ９）。他の画像ファイルの付属情報を参照して、復元する視点２画像ファイル用の付属情報（図３参照）を生成する。
【０１４１】
最後に、ステップＳ７で抽出された主画像の画像データと、ステップＳ８で抽出された関連画像情報と、ステップＳ９で生成された付属情報とを結合することにより、紛失等された画像ファイルを復元して、当該復元した画像ファイルを他の画像ファイルと同じ位置に書き込み（ステップＳ１０）、処理を終了する。
【０１４２】
これにより、削除、紛失、離散などにより、記録されているはずの画像ファイルが使用できない場合においても、使用できない画像ファイルをその他の画像ファイルから自動的に復元することができる。
【０１４３】
また、多視点画像の一部の視点の画像が使用できなくなった場合においても、その画像を復元することができるため、多視点画像が表示できなくなるという不具合を防止することができる。
【０１４４】
［画像ファイルの関連画像情報の修復］
編集モードにおいて画像を編集する場合に、関連画像情報が使用できないかどうかを判断し、使用できない場合には当該関連画像情報を修復する処理について、図１０を用いて説明する。以下の処理は、メインＣＰＵ１０によって行われる。
【０１４５】
編集したい画像が主画像として格納されている画像ファイルを取得し（ステップＳ１）、当該画像ファイルの付属情報を読み込む（ステップＳ２）。
【０１４６】
付属情報に記載された通りの関連画像情報が画像ファイルに格納されているかどうかを判断し（ステップＳ１３）、付属情報に記載された通りの関連画像情報が画像ファイルに格納されていない場合（ステップＳ１３でＮＯ）には、その他付属情報を格納する領域Ｂ２７に関連画像修復フラグをセットし（ステップＳ１４）、主画像の画像データを編集するステップ（ステップＳ１５）へ進む。付属情報に記載された通りの関連画像情報が画像ファイルに格納されている場合（ステップＳ１３でＹＥＳ）には、主画像の画像データを編集するステップ（ステップＳ１５）へ進む。
【０１４７】
主画像の画像データの編集（ステップＳ１５）が終了したら、当該画像ファイルの関連画像情報として持つべき視点画像（関連視点画像）が主画像又は関連画像情報として格納されている画像ファイルを取得する（ステップＳ１６）。
【０１４８】
ステップＳ１６で取得された画像ファイルの主画像の画像データ及び関連画像情報の修復が必要かどうかを判断する（ステップＳ１７）。修復の要否は、付属情報に記載された主画像及び関連画像情報の情報と、実際に画像データ格納領域及び関連画像情報格納領域に格納された画像とを比較することによって行われる。ステップＳ１６で取得された画像ファイルの修復が必要ない場合（ステップＳ１７でＮＯ）の場合には、ステップＳ１４において関連画像修復フラグがセットされたかどうかを判断し（ステップＳ１８）、関連画像修復フラグがセットされている場合（ステップＳ１８でＹＥＳ）には、主画像の編集を行った画像ファイルの関連画像情報を修復し（ステップＳ１９）、当該画像ファイルを修復前と同じフォルダ内に書き込む、すなわち上書き処理を行う（ステップＳ２０）。関連画像修復フラグがセットされていない場合（ステップＳ１８でＮＯ）には、当該画像ファイルの書き込み処理を行う（ステップＳ２０）。
【０１４９】
ステップＳ１６で取得された画像ファイルの主画像の画像データ及び関連画像情報の修復が必要な場合、すなわち付属情報に記載された主画像及び関連画像情報の情報と、実際に画像データ格納領域及び関連画像情報格納領域に格納された画像と同じでない場合や、主画像の画像データ又は願練画像情報が使用できない場合など（ステップＳ１７でＹＥＳ）には、視点画像の修復（ステップＳ２１）及び関連画像情報の修復（ステップＳ２２）を行い、主画像の画像データや関連画像情報が修復された画像ファイルを修復前と同じフォルダ内に書き込む、すなわち上書きを行い（ステップＳ２３）、その後編集が行われた画像ファイルの関連画像情報修復処理（ステップＳ１８〜Ｓ２０）を行う。なお、視点画像の修復（ステップＳ２１）及び関連画像情報の修復（ステップＳ２２）は、ステップＳ１２、Ｓ１６及びＳ１８〜Ｓ２０とほぼ同様の流れで処理を行なえばよいため、説明を省略する。
【０１５０】
このように、編集対象となる画像を主画像とする画像ファイルの関連画像情報に問題がないかどうかを判断し、関連画像情報に問題があると判断された場合には、当該画像ファイルの付属情報及び当該画像ファイル以外の主画像の画像データ又は関連画像情報に基づいて、問題がある関連画像情報を修復することで、関連画像情報から主画像が修復可能な状態を常に保つことができる。これにより、多視点画像が表示できなくなるという不具合を防止することができる。
【０１５１】
また、多視点画像を構成する画像の一部が使用できなくなった場合においても、使用できなくなった画像の復元が可能な状態を維持しながら画像データの編集を行うことができる。
【０１５２】
＜他の実施の形態＞
また、本実施の形態では、複眼デジタルカメラ１を用いて画像ファイルの復元処理や、関連画像情報修復処理を行ったが、画像の記録、編集等が可能なパーソナルコンピュータ（ＰＣ）等の画像処理装置を用いてもよい。以下、図１１を用いて画像記録装置１００について説明する。
【０１５３】
中央処理装置（ＣＰＵ）１０２は、バス１０４を介して画像記録装置１００内の各ブロックに接続されており、各ブロックの動作を制御する。また、ＣＰＵ１０２は、複眼デジタルカメラ１又はメモリカード３８から画像ファイルを読み込み、先に述べたような画像ファイルの復元処理や、関連画像情報修復処理などを行う。
【０１５４】
主メモリ１０６は、制御プログラムが格納される記憶領域や、プログラム実行時の作業領域を含んでいる。
【０１５５】
ハードディスク装置１０８には、画像記録装置１００のオペレーティングシステム（ＯＳ）や、各種のアプリケーションソフト、撮影装置１又はメモリカード３８から読み込まれた記録用画像データ（基本ファイルＦ１０及び拡張画像ファイルＦ１００）等が格納される。
【０１５６】
ＣＤ−ＲＯＭ装置１１０は、図示しないＣＤ−ＲＯＭからのデータの読み込みを行う。
【０１５７】
カードインターフェース部（カードＩ／Ｆ）１１２は、メモリカード３８から画像データを読み取る。
【０１５８】
表示メモリ１１６は、表示用データを一時記憶する。
【０１５９】
モニタ１１８は、例えば、ＣＲＴ（Cathode Ray Tube）モニタや液晶モニタにより構成され、この表示メモリ１１６から出力される画像データ、文字データ等に基づいて画像や文字等を表示する。
【０１６０】
キーボード１２０及びマウス１２２は、操作者からの操作入力を受け付けて、操作入力に応じた信号をＣＰＵ１０２に入力する。なお、ポインティングデバイスとしては、マウス１２２のほか、タッチパネルやタッチパッド等を用いることができる。
【０１６１】
マウスコントローラ１２４は、マウス１２２の状態を検出してモニタ１１８上のマウスポインタの位置や、マウス１２２の状態等の信号をＣＰＵ１０２に出力する。
【０１６２】
オーディオ入出力回路１２６には、マイク１２８及びスピーカ１３０が接続され、各種の音声信号が入力されるとともに、キーボード１２０等からの操作入力に応じて各種動作音が再生出力される。通信インターフェイス部（通信Ｉ／Ｆ）１３２は、ネットワークＮＷとの通信を行う。カメラ接続インターフェイス部（カメラ接続Ｉ／Ｆ）１３４は、撮影装置（電子カメラ、デジタルカメラ）１との間でデータの送受信を行う。
【０１６３】
また、本実施の形態では、画像ファイル生成手段５３において画像ファイルの作成を行い、メインＣＰＵ１０において画像ファイルの復元処理や関連画像情報修復処理などを行う複眼デジタルカメラ１という装置について説明したが、装置に限らず、例えば、撮像装置、ＰＣ、携帯情報端末のような装置に適用するプログラムとして提供してもよい。
【図面の簡単な説明】
【０１６４】
【図１】本発明が適用された複眼デジタルカメラ１のブロック図である。
【図２】画像ファイルのデータ構成を模式的に示す図である。
【図３】画像ファイルのデータ構成を模式的に示す図である。
【図４】画像ファイルのデータ構成の別の例を模式的に示す図である。
【図５】画像ファイルのデータ構成の別の例を模式的に示す図である。
【図６】メモリカード３８に画像ファイルを記録する際のフォルダのツリー構造を模式的に示す図である。
【図７】メモリカード３８に画像ファイルを記録する際のフォルダのツリー構造の別の例を模式的に示す図である。
【図８】メモリカード３８に画像ファイルを記録する際のフォルダのツリー構造の別の例を模式的に示す図である。
【図９】画像ファイルを復元する処理の流れを示すフローチャートである。
【図１０】画像ファイルの関連画像情報を修復する処理の流れを示すフローチャートである。
【図１１】本発明が適用された画像記録装置１００のブロック図である。
【符号の説明】
【０１６５】
１：複眼デジタルカメラ、２ａ：第１撮像系、２ｂ：第２撮像系、６ａ、６ｂ：画像表示ＬＣＤ、１０：メインＣＰＵ、３８：メモリカード、５０：２Ｄ／３Ｄモード切替フラグ設定手段、５１：基線長／輻輳角記憶手段、５３：画像ファイル生成手段
【図１】
0004833947.tif 000002
【図２】
0004833947.tif 000003
【図３】
0004833947.tif 000004
【図４】
0004833947.tif 000005
【図５】
0004833947.tif 000006
【図６】
0004833947.tif 000007
【図７】
0004833947.tif 000008
【図８】
0004833947.tif 000009
【図９】
0004833947.tif 000010
【図１０】
0004833947.tif 000011
【図１１】
0004833947.tif 000012